(57)【要約】性能対費用を最適化するよう、リモートコントロールシステムの送信器１は表面音波共振器４２を設けられ、受信器２は受信器を調整する可変インダクタ５４，７９を設けられる。受信振動フィルタ回路２４は、一種のフィルタ発振器を作るよう、単一のトランジスタ７４、キャパシタ７６，７７、及び可変インダクタ７９を有する。受信リップル除去回路２５は、受信振動フィルタ回路２４、及び二つのトランジスタ６６，６７の縦列設計を有する受信増幅回路２３の動作を改善する。受信振動フィルタ回路２４と受信増幅整形回路２７との間の受信フィルタ回路２６は受信増幅整形回路２７の動作を改善する。送信振動増幅回路１２はコルピッツ発振器として動作する単一のパワートランジスタ４６を有する。リモートコントロールシステムはセラミック共振器及びチョークを使用せず、受信器２は表面音波共振器を使用しない。電力消費は最小限にされる。
2007519272.tif 000002
【特許請求の範囲】
【請求項１】
送信器と受信器とを有するリモートコントロールシステムにおいて、
前記送信器は、
表面音波共振器を有する送信振動増幅回路と、
該送信振動増幅回路に結合された送信アンテナとを有し、
前記受信器は、
受信増幅回路と第一のインダクタとに結合された受信アンテナと、
前記受信増幅回路に結合され、第二のインダクタを有する受信振動フィルタ回路と、
受信フィルタ回路を介して前記受信振動フィルタ回路に結合された受信増幅整形回路とを有し、
それらインダクタの少なくとも一つは、前記受信器を調整するために可変であることを特徴とするリモートコントロール。
【請求項２】
前記受信振動フィルタ回路は、第一のトランジスタを有し、
該第一のトランジスタの第一の主電極は、前記受信フィルタ回路と、第一のキャパシタと、第二のキャパシタの一方の端子とに結合され、
前記第一のトランジスタの第二の主電極は、前記受信増幅回路と、前記第二のキャパシタの他方の端子と、前記第二のインダクタとに結合されることを特徴とする、請求項１記載のリモートコントロールシステム。
【請求項３】
前記第一のインダクタは、第三のキャパシタに並列に結合され、
前記第二のインダクタは、第四のキャパシタに並列に結合されることを特徴とする、請求項２記載のリモートコントロールシステム。
【請求項４】
前記第二のインダクタは、第二のトランジスタを有する受信リップル除去回路に更に結合され、
前記第二のトランジスタの第一の主電極は、第一の抵抗器を介して前記第二のインダクタと、第五のキャパシタを介して第一の基準端子とに結合され、
前記第二のトランジスタの第二の主電極は、第二の基準端子に結合され、
前記第二のトランジスタの制御電極は、第六のキャパシタと、第二の抵抗器を介して前記第二の基準端子とに結合されることを特徴とする、請求項３記載のリモートコントロールシステム。
【請求項５】
前記受信増幅回路は、第三及び第四のトランジスタを有し、
前記第三のトランジスタの第一の主電極は、第三の抵抗器及び第七のキャパシタの並列回路を介して前記第一の基準端子に結合され、
前記第三のトランジスタの第二の主電極は、前記第四のトランジスタの第一の主電極に結合され、
前記第四のトランジスタの第二の主電極は、第四の抵抗器を介して前記第二のトランジスタの第一の主電極と、前記第一のトランジスタの第二の主電極とに結合され、
前記第三のトランジスタの制御電極は、前記受信アンテナと、前記第一のインダクタとに結合されることを特徴とする、請求項４記載のリモートコントロールシステム。
【請求項６】
前記受信フィルタ回路は、前記第一のトランジスタの第一の主電極に結合され、第五の抵抗器及び第八のキャパシタの並列回路と、第六の抵抗器を介して第九のキャパシタとに更に結合された第三のインダクタを有し、
前記並列回路及び前記第九のキャパシタは、前記第一の基準端子に更に結合されることを特徴とする、請求項５記載のリモートコントロールシステム。
【請求項７】
前記受信増幅整形回路は、第五、第六、第七及び第八のトランジスタを有し、
前記第五のトランジスタの制御電極は、前記第九のキャパシタに結合され、
前記第五のトランジスタの第二の主電極は、第七の抵抗器を介して前記第二の基準端子と、第八の抵抗器を介して前記第六のトランジスタの制御電極と、第九の抵抗器を介して前記第七のトランジスタの制御電極とに結合され、
前記第七のトランジスタの第二の主電極は、前記第八のトランジスタの制御電極と、第十の抵抗器を介して前記第一の基準端子とに結合され、
前記第八のトランジスタの第二の主電極は、前記受信器のデータ出力部を構成し、第十一の抵抗器を介して前記第二の基準端子に結合されることを特徴とする、請求項６記載のリモートコントロールシステム。
【請求項８】
前記送信振動増幅回路は、第九のトランジスタを有し、
該第九のトランジスタの制御電極は、第十のキャパシタを介して前記表面音波共振器と、第四のインダクタを有する送信器入力回路とに結合され、
前記第九のトランジスタの第一の主電極は、第十二の抵抗器及び第五のインダクタの直列回路を介して前記第一の基準端子に結合され、
前記第九のトランジスタの第二の主電極は、前記送信アンテナに結合されることを特徴とする、請求項７記載のリモートコントロールシステム。
【請求項９】
当該リモートコントロールシステムは、セラミック共振器ではなく、
前記受信器は、表面音波共振器ではないことを特徴とする、請求項１記載のリモートコントロールシステム。
【請求項１０】
夫々のアンテナは、より短い範囲に対してはプリントアンテナを、及び／又はより長い範囲に対しては非プリントアンテナを有することを特徴とする、請求項１記載のリモートコントロールシステム。
【請求項１１】
前記送信器は、振幅シフトキーイング変調を実行するよう構成され、
前記受信器は、振幅シフトキーイング復調を実行するよう構成されることを特徴とする、請求項１記載のリモートコントロールシステム。
【請求項１２】
当該送信器及び受信器を有するリモートコントロールシステムで使用する送信器において、
表面音波共振器を有する送信振動増幅回路と、
該送信振動増幅回路に結合された送信アンテナとを有することを特徴とする送信器。
【請求項１３】
送信器及び当該受信器を有するリモートコントロールシステムで使用する受信器において、
受信増幅回路と第一のインダクタとに結合された受信アンテナと、
前記受信増幅回路に結合され、第二のインダクタを有する受信振動フィルタ回路と、
受信フィルタ回路を介して前記受信振動フィルタ回路に結合された受信増幅整形回路とを有し、
これらのインダクタの少なくとも一つは、当該受信器を調整するために可変であることを特徴とする受信器。
【請求項１４】
送信器及び受信器を有するリモートコントロールシステムと共に使用する方法において、
前記送信器は、
表面音波共振器を有する送信振動増幅回路と、
該送信振動増幅回路に結合された送信アンテナとを有し、
前記受信器は、
受信増幅回路と第一のインダクタとに結合された受信アンテナと、
前記受信増幅回路に結合され、第二のインダクタを有する受信振動フィルタ回路と、
受信フィルタ回路を介して前記受信振動フィルタ回路に結合された受信増幅整形回路とを有し、
それらインダクタの少なくとも一つは、前記受信器を調整するために可変であり、
当該方法は、これらインダクタの少なくとも一つを変更することにより前記受信器を調整するステップを有することを特徴とする方法。
【発明の詳細な説明】
【技術分野】
【０００１】
本発明は、リモートコントロールシステムと、受信器と、送信器と、方法とに関する。
【０００２】
このようなリモートコントロールシステムの例は、自動車制御システムやドア制御システム、ワイヤレス・マウスシステム、ワイヤレスキーボードシステム、セットトップボックス、音声／映像発生器用リモートコントロールシステム等のような消費者製品制御システムである。
【背景技術】
【０００３】
従来技術のリモートコントロールシステムは、国際特許出願ＷＯ９２／０４７７９（特許文献１参照。）から知られる。特許文献１は、その図１において受信器を、その図３において送信器を開示する。受信器及び送信器は、両方共、増大した周波数安定度及び受信感度を実現するように、周波数基準を定めるためのセラミック共振器を夫々有する。
【０００４】
既知のリモートコントロールシステムは、特に、セラミック共振器を有するリモートコントロールシステムが比較的高価であるので不利である。
【特許文献１】国際特許出願ＷＯ９２／０４７７９
【発明の開示】
【発明が解決しようとする課題】
【０００５】
本発明の目的は、特に、比較的低い費用のリモートコントロールシステムを提供することである。
【０００６】
本発明の更なる目的は、特に、比較的低い費用のリモートコントロールシステムのための受信器と、比較的低い費用のリモートコントロールシステムのための送信器と、比較的低い費用のリモートコントロールシステムと共に使用する方法とを提供することである。
【課題を解決するための手段】
【０００７】
本発明によるリモートコントロールシステムは、送信器及び受信器を有し、前記送信器は、表面音波共振器を有する送信振動増幅回路と、該送信振動増幅回路に結合された送信アンテナとを有し、前記受信器は、受信増幅回路と第一のインダクタとに結合された受信アンテナと、前記受信増幅回路に結合され、第二のインダクタを有する受信振動フィルタ回路と、受信フィルタ回路を介して前記受信振動フィルタ回路に結合された受信増幅整形回路とを有し、それらインダクタの少なくとも一つは、前記受信器を調整するために可変である。
【０００８】
表面音波共振器を有する送信器を提供することによって、且つ、少なくとも受信アンテナに結合されるか、あるいは受信振動フィルタ回路にある少なくとも一つの可変インダクタ、即ちコイルを導入することにより受信器を調整可能にすることによって、セラミック共振器は使用されず、リモートコントロールシステムは比較的低費用となる。送信器での表面音波共振器の存在により、前記表面音波共振器は、可変インダクタよりも精密で、僅かに高価であり、受信器では、一つ又は二つの可変インダクタは、送信器に対して受信器を調整するには十分である。通常、送信器は携帯型装置であるから、表面音波共振器は、ユーザーの手、湿気等から生ずる外部の影響に対する故障発生度を低減するように、更なる安定度を提供する。
【０００９】
本発明によるリモートコントロールシステムの第一の実施例は、請求項２によって定義される。単一のトランジスタと、第一のキャパシタと、第二のキャパシタと、第二のインダクタとを有する受信振動フィルタ回路を提供することにより、一種のフィルタ発振器が作られる。共通ベース増幅器として動作する単一のトランジスタは、実際には、フィルタ機能を有する減衰発振器であり、第一のキャパシタと、第二のキャパシタと、第二のインダクタとによってチューニングされる。例えば０．１ＭＨｚの３ｄＢ帯域幅で例えば４３３．９２ＭＨｚにおいて従来技術による発振器を作る代わりに、本発明による減衰発振器は、例えば１又は１０ＭＨｚの３ｄＢ帯域幅を有し、例えば１又は１０ＭＨｚまでのドリフトが処理されることができる。
【００１０】
本発明によるリモートコントロールシステムの第二の実施例は、請求項３によって定義される。前記第一のインダクタを第三のキャパシタに並列に結合することによって、且つ、前記第二のインダクタを第四のキャパシタに並列に結合することによって、両方のインダクタは、共振周波数及びクオリティ・ファクター等によって決められているＬＣ回路の部分を形成する。
【００１１】
本発明によるリモートコントロールシステムの第三の実施例は、請求項４によって定義される。前記第二のインダクタを能動型低域通過フィルタの形をした受信リップル除去回路に更に結合することによって、リップル雑音が拒絶される。これは、前記受信振動フィルタ回路及び前記受信増幅回路の動作を改善する。チョークと比較すると、受信リップル除去回路は、より費用が安い。前記第一の基準端子は、例えば接地に相当し、前記第二の基準端子は、例えば、接地に更に結合された電圧供給の電圧供給端子に相当する。
【００１２】
本発明によるリモートコントロールシステムの第四の実施例は、請求項５によって定義される。第三及び第四のトランジスタを有する縦列設計で前記受信増幅回路、即ち低雑音増幅器を提供することによって、１ｍＡより少ない受信器全体の全電流消費が有利に可能となり（結果として、低電力消費を有する受信器が得られる。）、高価なチョークは使用されない。
【００１３】
本発明によるリモートコントロールシステムの第五の実施例は、請求項６によって定義される。前記受信フィルタ回路、即ち受動型低域通過フィルタは、前記受信増幅整形回路の動作を改善するために、前記受信振動フィルタ回路から入来するデータから、より高い周波数成分を除去する。
【００１４】
本発明によるリモートコントロールシステムの第六の実施例は、請求項７によって定義される。四つのトランジスタを有する前記受信増幅整形回路、即ち低雑音増幅器及びパルス整形器を提供することによって、低費用の受信増幅整形回路が作られ、１ｍＡより小さい受信器全体の全電流消費が有利に可能となる（結果として、低電力消費を有する受信器が得られる。）。
【００１５】
本発明によるリモートコントロールシステムの第七の実施例は、請求項８によって定義される。前記表面音波共振器に結合され、コルピッツ発振器として動作する単一のパワートランジスタを有する送信振動増幅回路を提供することによって、送信器は、安定しており、それでも比較的低費用である。第四のインダクタは、送信器データ入力部から入来するデータから、より高い周波数成分を除去し、第五のインダクタは、高価なチョークを導入せずにチョーク効果を提供する。この送信器は、少ない構成要素を有し、例えば１．２ボルトのような低い電圧で動作することができ、送信されるべきデータが存在しない間は電力を消費しない。
【００１６】
本発明によるリモートコントロールシステムの第八の実施例は、請求項９によって定義される。当該リモートコントロールシステムをセラミック共振器にせず、前記受信器を表面音波共振器にしないことによって、本発明によるリモートコントロールシステムは、比較的低費用で、比較的うまく機能する。
【００１７】
本発明によるリモートコントロールシステムの第九の実施例は、請求項１０によって定義される。プリントアンテナは、１０乃至１５メーターまでのより短い範囲で使用され、非プリントアンテナは、１０乃至１５メーター以上のより長い範囲で使用される。非プリントアンテナは、例えば、物理的導線又は螺旋アンテナを有する。
【００１８】
本発明によるリモートコントロールシステムの第十の実施例は、請求項１１によって定義される。当該リモートコントロールシステムが比較的低費用のままであるように、前記送信器は、振幅シフトキーイング変調を実行するよう構成され、前記受信器は、振幅シフトキーイング復調を実行するよう構成される。
【００１９】
本発明による送信器及び本発明による受信器及び本発明による方法の実施例は、本発明によるリモートコントロールシステムの対応する実施例と一致する。
【発明の効果】
【００２０】
本発明は、特に、セラミック共振器が使用されるべきではないという見識に基づき、特に、受信器内の一つ又は二つのインダクタ及び送信器内の表面音波共振器が比較的低費用で、比較的うまく機能するリモートコントロールシステムを実現するには十分であるという基本的な考えに基づく。
【００２１】
本発明は、特に、比較的低費用のリモートコントロールシステムを提供するという問題を解決し、特に、本発明によるリモートコントロールシステムが比較的低費用で、比較的うまく機能するという点（最適化された性能対費用）で有利である。
【発明を実施するための最良の形態】
【００２２】
本発明のこれら及び他の特徴を、後述する実施例を参照して説明し、明らかにする。
【００２３】
図１に示された本発明による送信器１は、送信アンテナ１３に更に結合された送信振動増幅回路１２に結合された送信器入力回路１１を有する。
【００２４】
図２に示された本発明による受信器２は、受信マッチング回路２２を介して受信増幅回路２３、即ち低雑音増幅器に結合された受信アンテナ２１と、受信増幅回路２３に結合された受信振動フィルタ回路２４と、受信フィルタ回路２６を介して受信振動フィルタ回路２４に結合された受信増幅整形回路２７と、受信増幅回路２３と受信振動フィルタ回路２４とに結合された受信リップル除去回路２５とを有する。
【００２５】
図３に示された送信器入力回路１１は、送信されるべきデータを受信するための、インダクタ３２（コイル）及びキャパシタ３４の直列回路を介して第一の基準端子、即ち接地に結合された送信器データ入力部３１と、この直列回路の共通点に結合された抵抗器３３とを有する。インダクタ３２は、送信器データ入力部から入来するデータから、より高い周波数成分を除去する。インダクタ３２は、例えば１μＨから１０μＨの間の値を有する。キャパシタ３４は、例えば１０ｐＦから１００ｐＦの間の値を有し、抵抗器３３は、例えば１０ｋΩから１００ｋΩの間の値を有する。
【００２６】
図４に示された送信振動増幅回路１２は、単一のパワートランジスタ４６（ｎｐｎ形）を有する。トランジスタ４６の制御電極（ベース）は、キャパシタ４１を介して表面音波共振器４２と、送信器入力回路１１とに結合され、トランジスタ４６の第一の主電極（エミッタ）は、抵抗器４７及びインダクタ４８（コイル）の直列回路を介して第一の基準端子、即ち接地に結合され、トランジスタ４６の第二の主電極（コレクタ）は、送信アンテナ１３に結合されている。トランジスタ４６の制御電極は、抵抗器４３を介して、更に二つのキャパシタ４４，４５の直列回路を介して、接地に更に結合されており、この直列回路の共通点は、トランジスタ４６の第一の主電極に結合されている。送信アンテナ１３は、図示されていない電圧源と、図示されていない一つ又はそれ以上のキャパシタを介して接地とに更に結合されている。表面音波共振器４２に結合され、コルピッツ発振器として動作する単一のパワートランジスタ４６を有する送信振動増幅回路１２を提供することによって、送信器１は、安定しており、それでも比較的低い費用である。インダクタ４８は、高価なチョークを導入することなく、チョーク効果を提供する。この送信器１は、少ない構成要素を有し、例えば１．２ボルトのような低い電圧で動作することができ、送信されるべきデータが存在しない間は電力を消費しない。インダクタ４８は、例えば１μＨから１０μＨの間の値を有する。キャパシタ４４、４５は、夫々、例えば１ｐＦから１０ｐＦの間の値を有し、キャパシタ４１は、例えば１０ｐＦから１００ｐＦの間の値を有する。抵抗器４７は、例えば１００Ωから１ｋΩの間の値を有し、抵抗器４３は、例えば１０ｋΩから１００ｋΩの間の値を有する。
【００２７】
図５に示された受信マッチング回路２２は、接地と、二つのキャパシタ５１、５２の直列回路の共通点とに結合されたキャパシタ５３及びインダクタ５４（可変コイル）の並列回路を有する。二つのキャパシタ５１、５２の直列回路は、受信アンテナ２１と、受信増幅回路２３とに更に結合されている。キャパシタ５１、５２は、夫々、例えば０．１ｐＦから２ｐＦの間の値を有し、キャパシタ５３は、例えば１ｐＦから１０ｐＦの間の値を有する。インダクタ５４を変えることによって、受信器２は、送信器１に対して調整されることができる。
【００２８】
図６に示された受信増幅回路２３は、縦列設計で二つのトランジスタ６６、６７（ｎｐｎ形）を有し、トランジスタ６７の第一の主電極（エミッタ）は、抵抗器６８の並列回路を介して第一の基準端子、即ち接地に結合され、トランジスタ６７の第二の主電極（コレクタ）は、トランジスタ６６の第一の主電極（エミッタ）に結合され、トランジスタ６６の第二の主電極（コレクタ）は、抵抗器６５を介して受信リップル除去回路２５と、カップリング・キャパシタ７０を介して受信振動フィルタ回路２４とに結合され、トランジスタ６７の制御電極（ベース）は、受信マッチング回路２２に結合されている。トランジスタ６６の制御電極は、抵抗器６２を介して受信リップル除去回路２５と、キャパシタ６１を介して接地と、抵抗器６３とに結合されている。抵抗器６３は、両トランジスタ６６、６７にバイアスをかけるために、トランジスタ６７の制御電極と、抵抗器６４を介して接地とに更に結合されている。トランジスタ６６、６７を有する縦列設計で受信増幅回路２３、即ち低雑音増幅器を提供することによって、１ｍＡより小さい受信器２全体の全電流消費が有利に可能となる。これは、結果として、低電力消費を有する受信器２をもたらす。更に、抵抗器６２、６３、６４は、夫々、例えば２０ｋΩから２００ｋΩの間の値を有し、抵抗器６５、６８は、夫々、例えば１ｋΩから１０ｋΩの間の値を有する。
【００２９】
図７に示された受信振動フィルタ回路２４は、単一のトランジスタ７４（ｎｐｎ形）を有する。トランジスタ７４の第一の主電極（エミッタ）は、受信フィルタ回路２６と、キャパシタ７６と、キャパシタ７７の一方の端子とに結合され、トランジスタ７４の第二の主電極（コレクタ）は、受信増幅回路２３と、キャパシタ７７の他方の端子と、インダクタ７９（可変コイル）及びキャパシタ７８の並列回路の一方の側とに結合されている。この並列回路の他方の側は、キャパシタ８１を介して接地と、抵抗器８０を介して受信リップル除去回路２５とに結合されている。トランジスタ７４の制御電極（ベース）は、抵抗器７３を介して、更にキャパシタ７１を介して接地に結合され、トランジスタ７４にバイアスをかけるために抵抗器７２を介して受信リップル除去回路２５に結合されている。受信リップル除去回路２５への結合は、より高い周波数を取り除くためにキャパシタ７５を介して接地に更に結合されている。単一のトランジスタ７４、キャパシタ７６、７７及びインダクタ７９を有する受信振動フィルタ回路２４を提供することによって、一種のフィルタ発振器が作られる。共通のベース増幅器として動作する単一のトランジスタ７４は、実際には、フィルタ機能を有する減衰発振器であり、キャパシタ７６、７７及びインダクタ７９によってチューニングされる。例えば０．１ＭＨｚの３ｄＢ帯域幅で例えば４３３．９２ＭＨｚにおいて従来技術による発振器を作る代わりに、本発明による減衰発振器は、例えば１又は１０ＭＨｚの３ｄＢ帯域幅を有し、例えば１又は１０ＭＨｚまでのドリフトが処理されることができる。更に、キャパシタ７６，７７は、夫々、例えば１ｐＦから１０ｐＦの間の値を有する。抵抗器７２、７３は、夫々、例えば２０ｋΩから２００ｋΩの間の値を有し、抵抗器８０は、例えば１ｋΩから１０ｋΩの間の値を有する。キャパシタ７８は、例えば０．２ｐＦから２ｐＦの間の値を有し、キャパシタ８１は、例えば１０ｐＦから２００ｐＦの間の値を有する。インダクタ７９を変更することによって、受信器２は、送信器１に対して調整されることができる。
【００３０】
図８に示された受信リップル除去回路２５は、トランジスタ９４を有する。トランジスタ９４の第一の主電極（エミッタ）は、受信振動フィルタ回路２４と、キャパシタ９５を介して第一の基準端子、即ち接地とに結合され、トランジスタ９４の第二の主電極（コレクタ）は、第二の基準端子９１に結合され、トランジスタ９４の制御電極（ベース）は、キャパシタ９３を介して接地と、抵抗器９２を介して第二の基準端子９１とに結合されている。例えば、第二の基準端子９１は、更に接地に結合された図示されていない電圧供給の電圧供給端子に相当する。能動型低域通過フィルタの形で受信リップル除去回路２５を使用することによって、リップル雑音が拒絶される。これは、受信振動フィルタ回路２４及び受信増幅回路２３の動作を改善する。抵抗器９２は、例えば１０ｋΩから１００ｋΩの間の値を有し、キャパシタ９３は、例えば２ｎＦから２０ｎＦの間の値を有し、キャパシタ９５は、例えば０．２ｎＦから５ｎＦの間の値を有する。
【００３１】
図９に示された受信フィルタ回路２６は、受信振動フィルタ回路２４に結合され、抵抗器１０２及びキャパシタ１０３の並列回路を介して接地と、抵抗器１０４の一方の端子とに更に結合されたインダクタ１０１（コイル）を有する。抵抗器１０４の他方の端子は、キャパシタ１０５を介して接地と、キャパシタ１０６を介して受信増幅整形回路２７とに結合されている。受信フィルタ回路２６、即ち受動型低域通過フィルタは、受信増幅整形回路２７の動作を改善するために、受信振動フィルタ回路２４から入来するデータから、より高い周波数成分を除去する。更に、インダクタ１０１は、例えば１００ｎＨから１μＨの間の値を有し、キャパシタ１０３は、例えば１０ｐＦから１００ｐＦの間の値を有し、抵抗器１０２は、例えば１ｋΩから２０ｋΩの間の値を有し、抵抗器１０４は、例えば１０ｋΩから１００ｋΩの間の値を有し、キャパシタ１０５は、例えば０．１ｎＦから５ｎＦの間の値を有する。
【００３２】
図１０に示された受信増幅整形回路２７は、四つのトランジスタ１１４（ｎｐｎ形）、１１７（ｐｎｐ形）、１１８（ｐｎｐ形）及び１２３（ｎｐｎ形）を有する。トランジスタ１１４の制御電極（ベース）は、受信フィルタ回路２６に結合され、トランジスタ１１４の第二の主電極（コレクタ）は、抵抗器１１３を介して第二の基準端子９１と、抵抗器１１５を介してトランジスタ１１７の制御電極（ベース）と、抵抗器１２０を介してトランジスタ１１８の制御電極（ベース）とに結合され、トランジスタ１１８の第二の主電極（コレクタ）は、トランジスタ１２３の制御電極（ベース）と、抵抗器１１９を介して第一の基準端子、即ち接地とに結合され、トランジスタ１２３の第二の主電極（コレクタ）は、受信器２のデータ出力部１２４を構成し、抵抗器１２２を介して第二の基準端子９１に結合されている。トランジスタ１１４の第二の主電極は、更に、抵抗器１１１を介してトランジスタ１１４の制御電極に結合され、その制御電極は、トランジスタ１１４にバイアスをかけるために、抵抗器１１２を介して接地に結合されている。トランジスタ１１７、１１８の第一の主電極（エミッタ）は、両トランジスタ１１７、１１８にバイアスをかけるために、互いと、抵抗器１１６を介して第二の基準端子９１とに結合され、トランジスタ１１７の第二の主電極（コレクタ）は、接地に結合されている。トランジスタ１１８の制御電極は、更に、キャパシタ１２１を介して接地に結合されている。四つのトランジスタ１１４、１１７、１１８，１２３を有する受信増幅整形回路２７、即ち低雑音増幅器及びパルス整形器を提供することによって、低費用の受信増幅整形回路２７が作られ、１ｍＡより小さい受信器２全体の全電流消費が有利に可能となる（結果として、低電力消費を有する受信器が得られる。）。更に、抵抗器１１１、１１２は、夫々、例えば１ＭΩから１０ＭΩの間の値を有し、抵抗器１１３、１１５、１１６、１１９，１２０及び１２２は、夫々、例えば１０ｋΩから２００ｋΩの間の値を有する。
【００３３】
リモートコントロールシステムは、セラミック共振器ではなく、受信器２は、表面音波共振器ではないので、結果として、本発明によるリモートコントロールシステムは、比較的低費用で、比較的うまく機能する。プリントアンテナは、１０乃至１５メーターまでのより短い範囲で使用され、非プリントアンテナは、１０乃至１５メーター以上のより長い範囲で使用される。リモートコントロールシステムが比較的低費用のままであるように、送信器１は、振幅シフトキーイング変調を実行するよう構成され、受信器２は、振幅シフトキーイング復調を実行するよう構成される。
【００３４】
例えば「Ａのための」及び「Ｂのための」いった言い回し「ための」は、「Ｃのための」他の機能が同じく、同時に、又はそうではなく実行されることを認めないわけではない。「Ｙに結合されたＸ」及び「ＸとＹとの間の結合」及び「Ｘ及びＹを結合する」等の言い回しは、要素ＺがＸとＹとの間にあることを認めないわけではない。「ＰはＱを有する」及び「Ｑを有するＰ」等の言い回しは、要素Ｒが同じく含まれることを認めないわけではない。他のトランジスタ及び逆の主電極が、本発明の適用範囲を外れることなく使用されうる。
【００３５】
留意すべきは、上記実施例は本発明を限定するのではなくて説明しており、当業者が添付の特許請求の範囲の適用範囲から外れることなく多くの代わりの実施例を設計することが可能であることである。特許請求の範囲において、括弧内に置かれた如何なる参照符号も、請求項を限定するように解釈されるべきではない。動詞「有する」及びその活用形の使用は、請求項に挙げられている以外の要素又はステップの存在を認めないわけではない。要素の前の冠詞「一つの」は、このような要素の複数個の存在を認めないわけではない。ある手段が相互に異なる従属請求項で列挙されているという単なる事実は、これら手段の組合せが有利に使用されえないことを示しているわけではない。
【００３６】
本発明は、特に、セラミック共振器が使用されるべきではないという見識に基づき、特に、受信器内の一つ又は二つのインダクタ及び送信器内の表面音波共振器が比較的低費用で、比較的うまく機能するリモートコントロールシステムを実現するには十分であるという基本的な考えに基づく。
【００３７】
本発明は、特に、比較的低費用のリモートコントロールシステムを提供するという問題を解決し、特に、本発明によるリモートコントロールシステムが比較的低費用で、比較的うまく機能するという点（最適化された性能対費用）で有利である。
【図面の簡単な説明】
【００３８】
【図１】本発明による送信器をブロック図形式で示す。
【図２】本発明による受信器をブロック図形式で示す。
【図３】本発明による送信器の送信器入力回路をブロック図形式で示す。
【図４】本発明による送信器の送信振動増幅回路をブロック図形式で示す。
【図５】本発明による受信器の受信マッチング回路をブロック図形式で示す。
【図６】本発明による受信器の受信増幅回路をブロック図形式で示す。
【図７】本発明による受信器の受信振動フィルタ回路をブロック図形式で示す。
【図８】本発明による受信器の受信リップル除去回路をブロック図形式で示す。
【図９】本発明による受信器の受信フィルタ回路をブロック図形式で示す。
【図１０】本発明による受信器の受信増幅整形回路をブロック図形式で示す。
【図１】
2007519272.tif 000003
【図２】
2007519272.tif 000004
【図３】
2007519272.tif 000005
【図４】
2007519272.tif 000006
【図５】
2007519272.tif 000007
【図６】
2007519272.tif 000008
【図７】
2007519272.tif 000009
【図８】
2007519272.tif 000010
【図９】
2007519272.tif 000011
【図１０】
2007519272.tif 000012
【国際調査報告】
2007519272.tif 000013
2007519272.tif 000014
2007519272.tif 000015